(57)【要約】【課題】この建築壁パネルによって、壁体内に発生する結露と室内に飛散している人体に有害な化学物質を減少させながら、人体に有益なマイナスイオンを室内に放散させることを課題としている。【解決手段】壁パネル１内部のプラスチック系断熱材３の表面にトルマリンを混入した珪藻土５を塗布し、壁パネル内部へ通気を促すために室内側面材に通気孔７を穿設した。【選択図】図１
2005061107.tif 000002
【特許請求の範囲】
【請求項１】
2枚の面材と枠材からなる複合パネルであって、戸外に面する面材の内側には断熱材が接着されており、この断熱材から空間を介して室内側の面材が設けられ、この室内側面材は複数の通気孔を備えており、上記断熱材の表面にはトルマリンが混入された珪藻土が塗布されていることを特徴とする建築用壁パネル。
【発明の詳細な説明】
【技術分野】
【０００１】
本発明は、住宅などに用いられる壁材に関し、特に環境改善、健康増進などに寄与できる壁材に関する。
【背景技術】
【０００２】
従来の建築用壁パネルとして、例えば特開２０００−９６７３５号公報には内部の断熱材表面に金属フタロシアニンを含有する珪藻土を塗布したものがある。
【特許文献１】特開２０００−９６７３５号公報
【発明の開示】
【発明が解決しようとする課題】
【０００３】
木造住宅のパネル工法において、パネル内にプラスチック系断熱材を充填する工法は一般的になってきている。しかし、湿気の多い我が国では、屋外、屋内の気温差を要因として発生する不要な結露、ならびにパネル化により気密性が高まった結果、屋内の建材や家具などから発生するホルムアルデヒド、クロルヒリポスなどの有害な物質が屋外に逃げにくく、居住する人の体に対する悪影響が無視できなくなってきている。
【０００４】
現状では，屋内の空気の量，流れを計算して数値化し，適切と思われる換気扇ならびに屋外から空気を取り入れる換気口、外気流入ファンなどを設けて換気を計画的に行っているが、計算による計画換気である以上、誤差があることも考えられ、計算した範疇においても予期せぬ自然現象が発生して、パネル内に建築躯体を腐らせる要因となる結露が発生したり、室内のホルムアルデヒド、クロルヒリポスなどの有害物質が室内から十分に排除されていない可能性がある。
【０００５】
また、平成１５年７月から建築基準法の改正（居室内における化学物質の発散に対する衛生上の措置）が施行されたこともあり、住宅室内環境の整備、更なる健康志向の住宅が望まれている。
【０００６】
上記の特開２０００−９６７３５号公報のように金属フタロシアニンを珪藻土に混入した場合、フタロシアニン分子同士は直接相互作用しうる状態に保たれるため、複数のフタロシアニン分子が容易に会合して安定化する。その結果、フタロシアニンの反応活性が低下し、消臭材の消臭力が低下し易い。
【課題を解決するための手段】
【０００７】
本発明は、上記課題を解決するためになされたものであり、本発明の建築用壁パネルは、２枚の面材と枠材からなる複合パネルであって、戸外に面する面材の内側には断熱材が接着されており、この断熱材から空間を介して室内側の面材が設けられ、この室内側面材は複数の通気孔を備えており、上記断熱材の表面にはトルマリンが混入された珪藻土が塗布されていることを特徴とする。
【０００８】
本発明で用いる２枚の面材のうち、屋外に面する側の面材としては、構造用合板、パーティクルボード、構造用パネルなどとし、建築構造上の面材耐力壁として建築基準法に定められたものを使用するのが好ましい。室内側に面する面材は石膏ボードなどの一般的な内装下地材を使用すればよい。
【０００９】
本発明で用いる断熱材としては例えば、発泡ウレタンフォーム、ビーズ法ポリスチレンフォーム（ＥＰＳ）、押出法ポリスチレンフォーム（ＸＰＳ）などのプラスチック系断熱材が挙げられる。
【００１０】
上記断熱材の表面に塗布する珪藻土は堆積した植物性プランクトンが化石化して出来た多孔性の土であり、吸着性に富んでいることから、室内のホルムアルデヒドやクロルヒリポスなどのいわゆるシックハウス症候群を引き起こす原因となる化学物質を吸着し室内への飛散を抑える。同時に当該パネル内の空気中の湿気も吸着し、乾燥時には放散するため、パネル内の結露の発生を妨げる効果もある。
【００１１】
上記珪藻土に混入するトルマリンは微弱電流による電場が形成されており、マイナスイオンを永久的に発生する性質を持つ。空気中のマイナスイオン電子はトルマリンのプラス電極に連続的に吸い付けられる。その結果、マイナス電極から弾き出されたマイナスイオンが電気力線に沿ってプラス電極に運ばれ、電場が形成される。発生したマイナスイオンは、肩こりや腰痛、肉体疲労の緩和、パソコンや携帯電話などから発生する電磁波の除去、脱臭抗菌効果などの作用効果を発揮する。住宅の壁は一度施工した後は安易に解体出来ない。しかし、マイナスイオンを発生する特性を永久に保つトルマリンは、塗りなおし等のメンテナンスの必要が無いことから、壁の内部に塗布するのに適している。
【００１２】
当該パネルには室内の空気を循環させるために室内側の面材に複数の通気孔が備えられており、例えば、上辺と底辺付近の鉛直面両端にそれぞれ空気孔を穿設する。一定の気密性を持つ住宅の居室においては機械による換気が建築基準法において義務付けられている事から、機械による換気によって空気の流れは確保されており、パネル内部の空気と室内の空気も随時置換され続けられていると考えられる。
【００１３】
また、本発明は、パネル内部の構造にて本発明の効果を発揮するので、室内側の壁紙や仕上げなどの意匠に関しては通気孔の部位以外は制限が無く、居住者がもつインテリア嗜好の妨げになりにくく、効果が損なわれることは無い。
【発明の効果】
【００１４】
本発明の建築用壁パネルによれば、住宅の室内に飛散しているホルムアルデヒドやクロルヒリポスなどの有害物質を減らしつつマイナスイオンを発生することが可能で、同時に壁パネル内に発生する結露を防止し、健康的で快適、且つ木材劣化を軽減するパネルを提供することができる。
【発明を実施するための最良の形態】
【００１５】
以下、本発明の実施形態を図面に基づいて説明する。
【００１６】
図１は本発明の形態を示す縦断面図であり、図２は図１の一部欠略斜視図である。図に示すように、この壁パネル１はパネル枠材４、枠材９、枠材１０で形成されたパネルの骨組みに、面材２を屋外側、面材６を室内側に張りつけた中空形状をしている。面材２は縦２７３ｃｍ、横８０．５ｃｍ、厚さ０．９ｃｍの構造用合板を使用し、建築構造上の面材耐力壁となる。構造用合板は建築基準法上、２．５倍の耐力壁となることから、筋交いなどは必要ない。面材６は部屋の内装の下地となる面材で、縦２７３ｃｍ、横８０．５ｃｍ、厚さ１．２５ｃｍの石膏ボードを使用する。ただし、面材６に限っては壁パネル設置の施工性を考えると、内装工事をはじめる段階になってから張りつけるのが望ましい。壁内には配線や配管を施さなければならない部位が多いからである。
【００１７】
面材６の底辺付近の両端部であり内装仕上げの巾木と重ならない面材下端から１０ｃｍ上方の位置に、通気孔７を２箇所、上部には天井仕上げの廻り縁の高さから５ｃｍ下げた位置に通気孔７をさらに２箇所ずつ合計４箇所設け、1の内部へ室内の空気が通り抜けできるようにする。尚、通気孔は直径４ｃｍの円形とし、通気を損なわない網目形状を成すプラスチック樹脂製の円形の蓋を装着し、異物が内部に進入するのを防ぐ工夫をする。
【００１８】
隙間無く接着されている。その断熱材の表面に、珪藻土と砕石して粉状にしたトルマリンを混合比２０：１で攪拌器にて混錬したものに木酢液を合わせてペースト状にした混合物５を、塗装用のエアコンプレッサーを用いて１平方メートルあたり１８０ｍｌ吹き付けて塗布した後に自然乾燥させる。
【００１９】
平成１５年７月から建築基準法の改正（居室内における化学物質の発散に対する衛生上の措置）が施行されたこともあり、現在建築される住宅は機械式の換気設備によって居室の換気は必須である。そのため、本建築用壁パネル内では、屋内にて常時稼動している機械式の計画換気によって空気孔７から進入した室内空気が空間８を通じて1時間に０.５回ないし０.７回の流量で居室内を循環する。空気が循環する際に接触する５のトルマリンを含んだ珪藻土が有害な化学物質を吸着し、同時にトルマリンから発生したマイナスイオンを室内側に放散させる。
【００２０】
また、屋外と室内の温度差によって、万が一壁パネル内に結露が発生した場合には、珪藻土５の調湿作用によって水分を吸着した後、常時稼動している計画換気設備の作用で７の通気孔から排出されるために、カビの発生や木材の腐朽を防ぐことができる。
【００２１】
さらに、不燃材の珪藻土を用いることによりパネルの難燃性が高まり、住宅火災が発生した際に断熱材への着火を遅らせることができる。
【図面の簡単な説明】
【００２２】
【図１】本発明の実施の形態を示す縦断面図である。
【図２】本発明の実施の形態を示す一部欠略斜視図である。
【符号の説明】
【００２３】
1  壁パネル
２  構造用面材
３  断熱材
４  横枠材
５  珪藻土
６  内装側面材
７  通気孔
８  空気流路
９、１０  縦枠材
【図１】
2005061107.tif 000003
【図２】
2005061107.tif 000004